(57)【要約】【課題】  従来の方法ではブロック分割の効果により部分的なノイズによる誤検出を防ぐことができるが、1画素でも動きを検出するとそのブロックは動画と見なされるため、ノイズは特定のブロックに固まっている時は誤検出の可能性は低いが、ノイズが画面の広い範囲にある映像での誤検出が問題となる。また、動きが小さい映像では動きをノイズとみなし、静止画とみなす誤検出が起こる可能性がある。【解決手段】  第1の実施例によれば、動きカウンタ13で1フィールドの動き量をカウントし、フィールド比較器14で連続する5フィールドで動き量が最小値となるフィールドを検出することで、2-3プルダウン変換映像と同じフィールドの並びを検出し、同一フィールド検出カウンタ15でその並びの回数をカウントすることで2-3プルダウン変換映像を検出する効果を得られる。【選択図】    図２
2005117202.tif 000002
【特許請求の範囲】
【請求項１】
1フィールドの映像において動きがあった画素数をカウントする回路と、
連続した5フィールドの映像において動きカウンタでカウントした値の最小値を検出し、最小値が5フィールド周期で出現することを検出する回路と、
連続した5フィールドの映像において動きカウンタでカウントした値の最大値を検出し、最大値を基に作成する基準値と最小値を比較することで2−3プルダウン変換映像の誤検出を防ぐ回路と、
5フィールド周期に出現する最小値の出現に応じてカウンタを制御し、2−3プルダウン変換映像の誤検出を防ぐ回路と、
を備えた映像用LSIを有し、この映像用LSIに入力したインターレース映像信号から2-3プルダウン変換映像を検出し、2-3プルダウン変換映像の特徴を考慮するインターレース映像をプログレッシブ映像に変換する方法。
【請求項２】
第1の実施形態の判定閾値を検出判定閾値と非検出判定閾値の2種類に変更し、かつ
検出判定閾値と非検出判定閾値を選択する回路を設け、2−3プルダウン検出信号で制御することで、2−3プルダウン変換映像検出中に一時的に非2-3プルダウン変換映像信号を検出してもすぐに非検出にならない回路を備え、
前記閾値と前記回路を備える映像用LSIにおいて入力したインターレース映像信号から2-3プルダウン変換映像を検出し、2-3プルダウン変換映像の特徴を考慮するインターレース映像をプログレッシブ映像に変換する方法。
【請求項３】
第1の実施形態に動きが小さい映像の出現に応じてカウンタを制御し、動きを判定するための閾値を小さい値に切り替える回路と、
動き閾値が小さい時に上記の機能を停止し、動き閾値に固定する回路と、
を備える映像用LSIを有し、この映像用LSIに入力したインターレース映像信号から2-3プルダウン変換映像を検出し、2-3プルダウン変換映像の特徴を考慮したインターレース映像をプログレッシブ映像に変換する方法。
【発明の詳細な説明】
【技術分野】
【０００１】
本発明は、インターレース映像をプログレッシブ映像に変換する(I/P変換)際にインターレース映像が2-3プルダウン変換映像の時は通常のインターレース映像のように画素を補間する方法ではなく連続する2フィールドを組み合わせる方法で変換すると高画質のプログレッシブ映像を得ることができる。この発明は映像用LSIにおいて、2-3プルダウン変換映像を検出し、2-3プルダウン変換映像の特徴を考慮したインターレース映像をプログレッシブ映像に変換する方法に関するものである。
【背景技術】
【０００２】
はじめに2-3プルダウン変換映像の特徴について図1で説明する。2-3プルダウン変換とは1秒間に24フレーム表示する映像(フィルムモード、24p)を1秒間に60フィールド表示する映像(インターレース映像、60i)に変換する方法である。24フレームを60フィールドの変換するには2フレームを5フィールドに変換する必要がある。図1の例ではP2kをA2k,B2kの2フィールドにし、P2k+1をA2k+1,B2k+1,A2k+1の3フィールドに変換している(k=1,2,…)。なお、Anは第1フィールドでBnは第2フィールドである(n=1,2,…)。2-3プルダウン変換映像の特徴は1フレームを2フィールドへの変換と1フレームを3フィールドへの変換を交互に行うため、図1中の1フレームを3フィールドに変換すると同一フィールドが存在する。そのためこの同一フィールドは5フィールド周期で出現するになる。図1では5フィールド周期がわかるように各フィールドに[1]から[5]のフィールド(フレーム)番号を付けている。[1]と[4]のフィールドは同一フィールドにであることがわかる。60i映像を1秒間に60フレーム表示する映像(プログレッシブ映像、60p)に変換する時、2-3プルダウン変換映像の場合は同一フィールドを目印にすると24pのフレームを復元することができるため、高画質映像を得ることができる。そこで60i映像において同一フィールドを検出し、2-3プルダウン変換映像であることを検出すれば、高画質映像のI/P変換が可能となる。
従来の2-3プルダウン映像検出方法には、特開平4-72966に開示されるものがある。
【０００３】
この公報の第3頁第5段目第47行〜第3頁第6段目第35行、第4頁第7段目第26行〜第4頁第7段目第31行及び第1図に開示される方法は、はじめに画像をブロックに分割し、フレーム間の画素に対して輝度信号の動きを分離し、その動きを設定した閾値THと比較する。1ブロックにおいて1画素でも動きがTHより大きい時はそのブロックを動画とみなし、それ以外はそのブロックを静止画(同一フィールド)とみなす。このブロック単位の静止画が5フィールド周期で出現することを検出することで2-3プルダウン映像検出を行っている。
【特許文献１】特開平4-72966
【発明の開示】
【発明が解決しようとする課題】
【０００４】
しかしながら従来の方法ではブロック分割の効果により部分的なノイズによる誤検出を防ぐことができるが、1画素でも動きを検出するとそのブロックは動画と見なされるため、ノイズは特定のブロックに固まっている時は誤検出の可能性は低いが、ノイズが画面の広い範囲にある映像での誤検出が問題となる。また、動きが小さい映像では動きをノイズとみなし、静止画とみなす誤検出が起こる可能性がある。
【課題を解決するための手段】
【０００５】
1フィールドの映像において動きがあった画素数をカウントする回路と、
連続した5フィールドの映像において動きカウンタでカウントした値の最小値を検出し、最小値が5フィールド周期で出現することを検出する回路と、
連続した5フィールドの映像において動きカウンタでカウントした値の最大値を検出し、最大値を基に作成する基準値と最小値を比較することで2−3プルダウン変換映像の誤検出を防ぐ回路と、
5フィールド周期に出現する最小値の出現に応じてカウンタを制御し、2−3プルダウン変換映像の誤検出を防ぐ回路と、
を備えた映像用LSIを有し、この映像用LSIに入力したインターレース映像信号から2-3プルダウン変換映像を検出し、2-3プルダウン変換映像の特徴を考慮するインターレース映像をプログレッシブ映像に変換する方法。
【発明の効果】
【０００６】
本発明によれば、動きカウンタで1フィールドの動き量をカウントし、フィールド比較器で連続する5フィールドで動き量が最小値となるフィールドを検出することで、2-3プルダウン変換映像と同じフィールドの並びを検出し、同一フィールド検出カウンタ15でその並びの回数をカウントすることで2-3プルダウン変換映像を検出する効果を得られる。
【０００７】
フィールド比較器において最小値レジスタのレジスタ値と最大値レジスタの演算結果である演算器の出力を比較して発生させる検出キャンセル信号により、2-3プルダウン変換映像ではないが、偶然、5フィールド周期で最小値となる映像が入力された時の誤検出を防ぐ効果を得られる。
【０００８】
同一フィールド検出カウンタのカウンタ制御でカウントアップ量、カウントダウン量を変えることで2-3プルダウン変換映像と同じフィールドの並びが偶然連続したときの誤検出を防ぐ効果を得られる。また2-3プルダウン変換映像検出中に一時的に2-3プルダウン変換映像と違うフィールド並びが検出されて非検出になった時も、非検出から検出になるまでの時間の調整を行う効果を得られる。
【発明を実施するための最良の形態】
【０００９】
図2はこの発明の第1実施例のインターレース映像をプログレッシブ映像に変換する方法を示すブロック図である。配置、構成を説明すると、フィールドメモリ1は入力がインターレース映像信号であり、2フィールド分のインターレース映像を保持する。差分絶対値演算器11はフィールドメモリ1に入力するインターレース映像信号の輝度信号とフィールドメモリ1によって2フィールド(1フレーム)遅延させたインターレース映像信号の輝度信号を入力し、差分絶対値演算結果を出力する。比較器12は差分絶対値11の出力と外部で設定した動き閾値を入力し、比較結果を出力する。動きカウンタ13は比較器12の出力を入力し、カウンタ値を出力する。フィールド比較器14は動きカウンタ13のカウンタ値を入力し、5フィールドカウンタ値と検出キャンセル信号を出力する。同一フィールド検出カウンタ15はフィールド比較器14の出力である5フィールドカウンタ値と検出キャンセル信号を入力し、カウンタ値を出力する。比較器16は同一フィールド検出カウンタ15のカウンタ値と判定閾値を入力し、その比較結果を2-3プルダウン検出信号として出力する。出力フィールド選択器17は比較器16の出力である2-3プルダウン検出信号とフィールド比較器14の出力である5フィールドカウンタ値を入力し、フィールド選択信号を出力する。I/P変換回路（インターレース映像をプログレッシブ映像に変換する回路）2はフィールドメモリ1に入力されるインターレース映像信号とフィールドメモリ1に保持しているインターレース映像信号(合計3フィールド分)と出力フィールド選択器17の出力であるフィールド選択信号を入力し、プログレッシブ映像信号を出力する。
【００１０】
図3はフィールド比較器14と同一フィールド検出カウンタ15の構成を示すブロック図である。比較器30は動きカウンタ13のカウンタ値(以後、動きカウンタ値とする)と最小値レジスタ32のレジスタ値を入力し、比較結果を出力する。レジスタ制御31は比較器30の出力と5フィールドカウンタ34の出力であるレジスタ取り込み信号を入力し、最小値レジスタ32へ制御信号を出力する。最小値レジスタ32は動きカウンタ値とレジスタ制御31の出力を入力し、レジスタ値を出力する。カウンタ制御33は比較器30の出力を入力し、制御信号を出力する。5フィールドカウンタ34はカウンタ制御33の出力を入力し、カウンタ値を出力する。この5フィールドカウンタ34の出力がフィールド比較器14の出力のひとつである、5フィールドカウンタ値になる。また5フィールドカウンタ34は5フィールド目をカウントした時にレジスタ取り込み信号も出力する。比較器35は動きカウンタ値と最大値レジスタ37のレジスタ値を入力し、比較結果を出力する。レジスタ制御36は比較器30の出力、比較器35の出力と5フィールドカウンタ34の出力であるレジスタ取り込み信号を入力し、最大値レジスタ37へ制御信号を出力する。最大値レジスタ37は動きカウンタ値とレジスタ制御36の出力を入力し、レジスタ値を出力する。演算器38は最大値レジスタ37のレジスタ値を入力し、演算結果を出力する。比較器39は最小値レジスタ32のレジスタ値と演算器38の出力を入力し、比較結果を出力する。この出力がフィールド比較器14のもうひとつの出力である検出キャンセル信号になる。
【００１１】
同一フィールド検出器40はフィールド比較器14の出力である5フィールドカウンタ値と検出キャンセル信号を入力し、検出信号と非検出信号を出力する。制御停止カウンタ41は同一フィールド検出器40の出力である非検出信号を入力し、カウンタ値を出力する。カウンタ制御42は同一フィールド検出器40の出力である検出信号、非検出信号と制御停止カウンタ41のカウンタ値を入力し、制御信号を出力する。検出カウンタ43はカウンタ制御42の出力を入力し、カウンタ値を出力する。このカウンタ値が同一フィールド検出カウンタの出力となる。
【００１２】
まず、2-3プルダウン変換映像検出装置にインターレース映像信号が1画素ずつ入力され、フィールドメモリ1、差分絶対値演算器11、I/P変換回路2に送られる。
差分絶対値演算器11にはインターレース映像信号の輝度信号とフィールドメモリ1から出力された輝度信号を入力する。フィールドメモリ1から出力される輝度信号は、インターレース映像信号の画素に対して2フィールド(1フレーム)前の同じ位置にある画素の輝度信号である。差分絶対値演算器11では2フィールド(1フレーム)の差がある2画素の輝度信号に対して、差をとり、その結果の絶対値を出力する。この出力を2画素間の動きとし、比較器12で動き閾値と比較する。動き閾値はノイズによる誤差を除去するための閾値であり、動きが動き閾値以上の時は、その画素については「動き有り」と判定し、それ以外のときは「動き無し」と判定する。ここでは動きと動き閾値が等しい時は「動き有り」としたが、「動き無し」とすることも可能である。ここで動き閾値と比較することでノイズによる影響を除去することになる。
【００１３】
動きカウンタ13は1フィールド分の画素のうち、最初の画素が比較器12で比較される前に0にリセットする。比較器12の比較結果が「動き有り」の時はカウンタ値を+1し、「動き無し」の時はカウンタ値を保持する。これによって1フィールド分の映像の動き(動き量)を得ることができる。
【００１４】
フィールド比較器14は比較器12で1フィールド分のインターレース映像信号の比較を終えてから次フィールドのインターレース映像信号の比較が開始するまでの間に動きカウンタ13のカウンタ値を取り込む。このカウンタ値を基に同一フィールドを基準にして、5フィールド周期をカウントし、そのカウント値を5フィールドカウンタ値として出力する。またカウンタ13の出力であるカウンタ値から5フィールド周期をカウントできない時は同一フィールドの検出をキャンセルする信号も出力する。このブロックで同一フィールドとその5フィールドの周期性を検出することになる。フィールド比較器14の内部動作については後で説明をする。
【００１５】
同一フィールド検出カウンタ15はフィールド比較器14の出力である5フィールドカウンタ値が5フィールド目をカウントした時はカウンタ値をカウントアップし、5フィールド目をカウントする前にリセットされたらカウンタ値をカウントダウンする。そしてこのカウンタ値が出力になる。このブロックで同一フィールドの5フィールド周期を連続的に検出していることを確認し、2-3プルダウン変換映像の誤検出を防ぐことになる。同一フィールド検出カウンタ15の内部動作については後で説明をする。
【００１６】
比較器16は同一フィールド検出カウンタ15の出力であるカウンタ値が判定閾値以上になると2-3プルダウン検出信号を「検出」として出力し、それ以外は「非検出」として出力する。
出力フィールド選択器17は比較器16が出力した2-3プルダウン検出信号とフィールド比較器14が出力した5フィールドカウンタ値からI/P変換に使用するフィールドを選択するフィールド選択信号を出力する。2-3プルダウン検出信号が非検出時は通常のI/P変換を行うようにI/P変換回路2を制御し、検出時は連続する2フィールドを組み合わせて、プログレッシブ映像を作るようにI/P変換回路2を制御する。連続するフィールドの組み合わせを図1で確認する。図1のように2フィールド前と同一フィールドであるフィールド映像を[1]として[1]から[5]まで番号を付けた時、[1]と[3]は現フィールドと1フィールド前の映像の組み合わせで、[2]と[4]は現フィールドと1フィールド後の映像の組み合わせで、[5]は現フィールドと1フィールド前の映像または現フィールドと1フィールド後の映像のどちらかになる。
【００１７】
次に図3を用いてフィールド比較器14の内部動作について説明する。同一フィールドを比較した時、動き量は0になるはずだが、実際にはノイズや編集によって挿入される字幕等の影響で0にならないことが多い。そのためこのブロックでは連続する5フィールドの映像で動き量が最小値となるフィールドを同一フィールドとみなしている。また、最小値であっても、最大値との差が小さい時は偶然最小値になったと見なし、同一フィールドではないと判定し、検出キャンセル信号を出力する。動作開始直後では最小値レジスタ32のレジスタ値はレジスタが取り得る最大値に設定し、最大値レジスタ37のレジスタ値は0に設定する。比較器30では動きカウンタ値と最小値レジスタ32のレジスタ値を比較する。比較した結果、動きカウンタ値の方が最小値レジスタ32の値より小さい時は真を、それ以外の時は偽を出力する。これと同時に比較器35では動きカウンタ値と最大値レジスタ37のレジスタ値を比較する。比較した結果、動きカウンタ値の方が最大値レジスタ37の値より大きい時は真を、それ以外の時は偽を出力する。動きカウンタ13において1フィールド分の動きのカウントを終了後、レジスタ制御31は比較器30の出力を取り込む。取り込んだ出力が真の時または5フィールドカウンタ34が出力するレジスタ取り込み信号が真の時は最小値レジスタ32に動きカウンタ値を取り込み、それ以外の時は最小値レジスタ32のレジスタ値を保持するように制御する。最小値レジスタ32はレジスタ制御31によって取り込み制御を行い、5フィールド周期での最小値を保持することになる。レジスタ制御36は比較器30または比較器35の比較結果が真の時もしくは5フィールドカウンタ34が出力するレジスタ取り込み信号が真の時は最大値レジスタ37に動きカウンタ値を取り込み、それ以外の時は最大値レジスタ37のレジスタ値を保持するように制御する。最大値レジスタ37はレジスタ制御36によって取り込み制御を行い、5フィールド周期での最大値を保持することになる。演算器38は最大値レジスタ37のレジスタ値に対して減算や除算等を行い(例として、[レジスタ値/2]等)、最小値レジスタ32のレジスタ値が同一フィールドと見なすことができるかを判定するための比較値を算出する。比較器39は最小値レジスタ32のレジスタ値と演算器38の出力を比較し、最小値レジスタ32のレジスタ値が演算器38の出力以上の時は出力の検出キャンセル信号を真とし、それ以外のときは検出キャンセル信号を偽とする。ここでは最小値レジスタ32のレジスタ値と演算器38の出力が等しい時は真としたが、偽とすることも可能である。なお、この検出キャンセル信号はフィールド比較器の出力のひとつである。
【００１８】
続いて図3を用いて同一フィールド検出カウンタ15の内部動作について説明する。同一フィールド検出カウンタ15は同一フィールドが5フィールド周期で連続して出現していることを検出する。これによって偶然5フィールド周期で同一フィールドが出現しても、2−3プルダウン変換映像と判定しないようにする。また、連続して5フィールド周期で同一フィールドを検出している時に1回だけ5フィールド周期が崩れた映像がきても、5フィールド周期が連続していると判定することができ、簡単に2−3プルダウン変換映像の検出、非検出を切り替えないようにする。同一フィールド検出器40はフィールド比較器14の出力である5フィールドカウンタ値と検出キャンセル信号を入力し、検出キャンセル信号が真の時、検出信号は偽、非検出信号は真を出力する。検出キャンセル信号が偽の時で、5フィールドカウンタ値が5フィールド目をカウントした時は、検出信号は真、非検出信号は偽を出力する。それ以外のときは検出信号、非検出信号共に偽を出力する。制御停止カウンタ41は非検出信号が真になると制御停止期間のカウントを開始し、1フィールド処理する毎にカウンタを動作させ、設定値になるまで動作を続ける。カウンタ動作はアップカウント、ダウンカウントのどちらでもよく、設定値も自由に設定できる。カウンタ制御42は制御停止カウンタ41が設定値の時に同一フィールド検出器40の検出信号が真ならば例としてカウントアップし、非検出信号が偽ならば例としてカウントダウンを出力する。カウントアップ、カウントダウンについては逆にすることも可能で、カウントアップ量、カウントダウン量もそれぞれ独立に設定をすることが可能である。制御停止カウンタ41のカウンタ値が設定値でない時は、カウンタ制御42はカウンタ制御を停止し、次の5フィールド周期で同一フィールドが検出されるかを待つ。検出カウンタ43はカウンタ制御42から出力されたカウントアップ量またはカウントダウン量に従ってカウンタ値を変更し、出力する。この出力されたカウンタ値が同一フィールド検出カウンタ15の出力になる。
【００１９】
以上のように、第1の実施例によれば、動きカウンタ13で1フィールドの動き量をカウントし、フィールド比較器14で連続する5フィールドで動き量が最小値となるフィールドを検出することで、2-3プルダウン変換映像と同じフィールドの並びを検出し、同一フィールド検出カウンタ15でその並びの回数をカウントすることで2-3プルダウン変換映像を検出する効果を得られる。
【００２０】
フィールド比較器14において最小値レジスタ32のレジスタ値と最大値レジスタ37の演算結果である演算器38の出力を比較して発生させる検出キャンセル信号により、2-3プルダウン変換映像ではないが、偶然、5フィールド周期で最小値となる映像が入力された時の誤検出を防ぐ効果を得られる。
【００２１】
同一フィールド検出カウンタ15のカウンタ制御41でカウントアップ量、カウントダウン量を変えることで2-3プルダウン変換映像と同じフィールドの並びが偶然連続したときの誤検出を防ぐ効果を得られる。また2-3プルダウン変換映像検出中に一時的に2-3プルダウン変換映像と違うフィールド並びが検出されて非検出になった時も、非検出から検出になるまでの時間の調整を行う効果を得られる。
【００２２】
図4はこの発明の第2の実施例を示すブロック図である。第1の実施例との違いは、判定閾値が検出判定閾値と非検出判定閾値の2種類になり、選択器20を追加し、比較器16の入力の一方が判定閾値から選択器20の出力になった部分である。選択器は20の入力は検出判定閾値、非検出判定閾値と比較器16の出力である2-3プルダウン検出信号である。2-3プルダウン検出信号は2つの判定閾値の選択信号になる。
【００２３】
同一フィールド検出カウンタ15がカウンタ値を出力するまでは、第1の実施例と同様である。選択器20は比較器16の出力である2-3プルダウン検出信号が「非検出」の時は検出判定閾値を出力し、「検出」の時は非検出判定閾値を出力する。比較器16は入力の一方の判定閾値が選択器20に代わるだけで、第1の実施例と同じ動作を行う。以下、出力フィールド選択器17以降の動作も第1の実施例と同様である。
【００２４】
以上のように第2の実施例によれば、選択器20を設け、判定閾値を検出判定閾値と非検出判定閾値に分けたので、2-3プルダウン変換映像検出時に一時的に非2-3プルダウン変換映像信号が入力されても2-3プルダウン検出信号がすぐに非検出にならないようする制御をより細かく行うことができる効果を得られる。
【００２５】
図5はこの発明の第3の実施例を示すブロック図である。第1の実施例との違いは、微小動き検出器21と可変動き閾値発生器22を付加した部分である。また比較器12の入力のうち一方が動き閾値から可変動き閾値発生器22の出力に変更している。微小動き検出器21の入力は動きカウンタ13の出力であるカウンタ値である。可変動き閾値発生器22の入力は動き閾値と微小動き検出器21の出力である。
第3の実施例において2-3プルダウン変換映像を検出する部分は、比較器12の一方の入力が動き閾値から可変動き閾値発生器22の出力になっているが、第1の実施例と同じである。
【００２６】
図6は新たに設けた微小動き検出器21と可変動き閾値発生器22の構成を示すブロック図である。まず、微小動き検出器21は動きカウンタ13の出力であるカウンタ値を取り込み比較器50で選択器55の出力と比較をする。動きカウンタ13のカウンタ値が選択器55の出力以上の時は真とし、それ以外の時は偽とする。カウンタ制御51は比較器12で1フィールド分のインターレース映像信号の比較を終えた後から次フィールドのインターレース映像信号の比較が開始するまでの間に1度だけ比較器50の出力を取り込み、その出力が真の時はカウントアップ要求、偽の時はカウントダウン要求を出力する。微小動きカウンタ52はカウンタ制御51の出力がカウントアップ要求の時は例としてカウンタ値が最大値でないならばカウンタ値を1加算し、カウントダウン要求の時はカウンタ値が0でないならばカウンタ値を1減算する。なお、カウンタ値の加算、減算については逆でも可能で、加算値、減算値も1以外でも可能である。このカウンタ値を動き量が小さいフィールドの出現頻度とする。比較器53は微小動きカウンタ52の出力であるカウンタ値と微小動き閾値を比較し、カウンタ値が微小動き閾値以上時は真を、それ以外の時は偽を出力する。なお、ここではカウンタ値と微小動き閾値が等しい時は真としたが、偽とすることも可能である。演算器54は入力である微小動き基準値に対して、加算や乗算を行い、その演算結果を出力する。例としては(微小動き基準値)×2や(微小動き基準値)×2+(微小動き基準値)等である。選択器55は比較器53の出力が真の時は演算器54の出力結果を出力し、偽の時は微小動き基準値を出力する。
【００２７】
可変動き閾値発生器22は、まず、比較器60で動き閾値と動き閾値の下限を比較し、動き閾値が動き閾値の下限以下の時は真を出力し、それ以外の時は偽を出力する。ここでは動き閾値と動き閾値の下限が等しい時は真を出力するが、偽を出力することも可能である。選択器制御61は比較器60の出力が真のときは偽を出力し、偽の時は比較器53の出力を出力する。定数減算器62は入力である動き閾値から一定の値を減算して出力する。減算する値は任意の値で値である。選択器63は選択器制御61の出力が真の時は定数減算器62の出力を出力し、偽の時は動き閾値を出力する。この出力が可変動き閾値発生器22の出力である。
【００２８】
以上のように第3の実施例によれば、微小動き検出器21と可変動き閾値発生器22を設け、動き量が小さいフィールドが連続する時に差分絶対値演算器11の出力と比較する値を小さくすることが可能となり、動きが小さいフィールドを静止画と判定する誤検出を防ぐ効果が得られる。また動き量が大きいフィールドが連続する時には差分絶対値演算器11の出力と比較する値を大きくすることで、検出する動き量を減らし、動きカウンタのカウンタ値がオーバーフローを起こして誤検出するのを防ぐ効果を得られる
【図面の簡単な説明】
【００２９】
【図１】2-3プルダウン変換映像をI/P変換するときのインターレース映像の組合わせ例
【図２】第１の実施の形態における2-3プルダウン変換映像検出装置の構成を示すブロック図
【図３】フィールド比較器および同一フィールド検出カウンタの構成を示すブロック図
【図４】第2の実施の形態における2-3プルダウン変換映像検出装置の構成を示すブロック図
【図５】第3の実施の形態における2-3プルダウン変換映像検出装置の構成を示すブロック図
【図６】第3の実施の形態における微少動き検出器、および可変動き閾値発生器の構成を示すブロック図
【符号の説明】
【００３０】
1        フィールドメモリ
2        I/P変換回路
11      差分絶対値演算器
12      比較器
13      動きカウンタ
14      フィールド比較器
15      同一フィールド検出カウンタ
16      比較器
17      出力フィールド選択器
【図１】
2005117202.tif 000003
【図２】
2005117202.tif 000004
【図３】
2005117202.tif 000005
【図４】
2005117202.tif 000006
【図５】
2005117202.tif 000007
【図６】
2005117202.tif 000008